(57)【要約】【課題】  嵩張らないで複数の糸を携行することができる【解決手段】  人体の周囲に取り付け可能な帯状体が、糸巻き取付部１００の両端にベルト部１０２、１０４の一端を結合して形成されている。糸巻き取付部１０２の外周面に複数の釣り糸用糸巻き２が着脱自在に取り付けられている。この糸巻き２は、外箱８の一端面から釣り糸を引き出す。【選択図】        図１
2008099626.tif 000002
【特許請求の範囲】
【請求項１】
人体の周囲に取り付け可能な帯状体と、
この帯状態の外周面に取り付けられた釣り糸用糸巻きとを、
具備する釣り糸携帯具。
【請求項２】
請求項１記載の釣り糸携帯具において、前記糸巻きは、釣り糸を帯状体の面に対してほぼ垂直方向にまたは帯状体の長さ方向に対して垂直に引き出し可能である釣り糸携帯具。
【請求項３】
請求項１記載の釣り糸携帯具において、前記釣り糸用糸巻きは、
前記帯状体に取り付けられ、釣り糸引き出し口を有するケースと、
このケース内に収容され、第１及び第２の主壁が互いに平行に配置され、第１及び第２の主壁の一方の端部が結合体によって結合され、第１及び第２の主壁の他方の端部が開放端部とされ、前記釣り糸引き出し口側にある本体部と、
第１の主壁の内面に、第２の主壁側に向かって突出し、少なくとも前記開放端部側に位置している部分が、前記開放端部側に向かって凸に湾曲している第１の突出部と、
第２の主壁の内面に、第１の主壁側に向かって突出し、少なくとも前記開放端部側に位置している部分が、前記開放端部側に向かって凸に湾曲している第２の突出部と、
第１の主壁の内面の前記結合体側から前記開放端部側に向かって伸延し、中途の裏面が第１の突出部の突出端部に結合され、前記開放端部側の先端部が、前記開放端部側に向かって凸に湾曲し、少なくとも前記開放端部側の先端部が可撓性を有する第１の片状部と、
第２の主壁の内面の前記結合体側から前記開放端部側に向かって伸延し、中途の裏面が第２の突出部の突出端部に結合され、前記開放端部側の先端部が、前記開放端部側に向かって凸に湾曲し、少なくとも前記開放端部側の先端部が可撓性を有する第２の片状部とを、
具備する釣り糸携帯具。
【請求項４】
請求項２記載の釣り糸携帯具において、前記ケースが、前記帯状体に着脱自在に設けられている釣り糸携帯具。
【発明の詳細な説明】
【技術分野】
【０００１】
本発明は、例えば幹糸やハリスのような釣り糸を巻いた糸巻きを携帯する釣り糸携帯具に関する。
【背景技術】
【０００２】
従来、魚釣り用の糸は、プラスチック製の糸巻きに巻かれて販売されることが多い。糸巻きとして同じものを複数個、巻き取り回転の中心軸線方向に順次連結することができるように構成されたものが、特許文献１に開示されている。
【０００３】
【特許文献１】特開２００２−１５３１９０号公報
【発明の開示】
【発明が解決しようとする課題】
【０００４】
魚釣り用の糸は、釣りを行っている途中で、異なる種類の糸と交換することがある。このような交換が予め想定される場合には、交換に必要な釣り糸をポケットなどに入れて携帯することが行われる。釣り糸は、その種類によって別々の糸巻きに巻かれているので、複数種類の糸を携行しようとすると、上述したような糸巻きでは、同じ複数の糸巻きを連結した状態で携行することになる。この連結状態では、糸巻きが全て同じ大きさであるので、嵩高となり、ポケットには収まりにくく、携行しにくい。
【０００５】
本発明は、容易に釣り糸を携行することができる釣り糸携帯具を提供することを目的とする。
【課題を解決するための手段】
【０００６】
本発明の一態様の釣り糸携帯具は、人体の周囲に取り付け可能な帯状体を有している。この帯状体は、例えば人体の腰の回りに取り付けられたり、人体の一方の肩とこの肩と反対側の腰との回りに取り付けられたり、腕の手首に取り付けられたりする。この帯状体の外周面に釣り糸用糸巻きが取り付けられている。この釣り糸用糸巻きは、１つだけ取り付けることもできるし、複数取り付けることもできる。この取付は、帯状体に着脱自在であることを望ましい。
【０００７】
このように構成された釣り糸携帯具では、人体に取り付け可能な帯状体に釣り糸用糸巻きが取り付けられているので、この帯状体を人体に取り付けるだけで容易に複数の釣り糸を携帯することができる。
【０００８】
帯状体に取り付けられる糸巻きは、種々のものを使用可能であるが、釣り糸を帯状体の面に対してほぼ垂直方向にまたは帯状体の長さ方向に対して垂直に引き出せるものが望ましい。このように構成すると、人体に帯状体を取り付けた状態でも、釣り糸の糸巻きからの引き出しが容易に行える。
【０００９】
例えば糸巻きは、帯状体に取り付けられるケースを有するものとできる。このケースは、例えば直方体状に形成され、その一つの面に、釣り糸引き出し口を有している。このケース内に本体部が収容されている。本体部は、互いに平行に配置された第１及び第２の主壁を有している。第１及び第２の主壁は、例えば正方形または長方形状の板状体とすることもできるし、円板や楕円板、小判型の板状体等の種々の形状とすることができる。第１及び第２の主壁の一方の端部が結合体によって結合され、第１及び第２の主壁の他方の端部が開放端部とされ、ケースの釣り糸引き出し口側に位置している。結合体は、第１及び第２の主壁の一方の端部を全面的に結合する板状のものを使用することもできるし、一方の端部の長さ方向に適当な間隔をおいて配置され、第１及び第２の主壁の一方の端部間を結合するものも使用できる。第１の主壁の内面に、第２の主壁側に向かって第１の突出部が突出している。第１の突出部において、少なくとも前記開放端部側に位置している部分が、前記開放端部側に向かって凸に湾曲している。同様に第２の主壁の内面に、第１の主壁側に向かって第２の突出部が突出している。第２の突出部は、少なくとも前記開放端部側に位置している部分が、前記開放端部側に向かって凸に湾曲している。第１及び第２の突出部は、互いに対向するように形成することが望ましい。また、第１及び第２の突出部の凸の湾曲部は、例えば円弧状または楕円弧状とすることができる。第１の主壁の内面の前記結合体側から前記開放端部側に向かって第１の片状部が伸延し、中途の裏面が第１の突出部の突出端部に結合されている。第１の片状部の前記開放端部側の先端部が、前記開放端部側に向かって凸に湾曲している。第２の主壁の内面の前記結合体側から前記開放端部側に向かって第２の片状部が伸延し、中途の裏面が第２の突出部の突出端部に結合されている。第２の片状部の前記開放端部側の先端部が、前記開放端部側に向かって凸に湾曲している。第１及び第２の片状部の少なくとも前記開放端部側の先端部が可撓性を有している。第１及び第２の片状部の解法端部側の凸の湾曲部も、例えば円弧状または楕円弧状とすることができる。ケース、本体部、第１及び第２の突出部並びに第１及び第２の片状部は、例えば合成樹脂製または紙製とすることができる。
【００１０】
第１及び第２の突出部間に、糸、例えば釣り糸が中心で折り畳まれたほぼ８の字状に掛け渡され、その先端部が前記開放端部側にある。このように構成された糸巻きでは、例えば、第１の突出部付近に糸の基端部が固定され、第１の突出部の開放端部側に凸の湾曲部に巻かれ、結合体の付近で折り返されて、第２の突出部の開放端部側に凸の湾曲部に巻かれ、結合体の付近で折り返されて、第１の突出部の開放端部側に凸の湾曲部を通って先端部が開放端部から外方に引き出されているとする。この状態では、糸は第１及び第２の片状部と第１及び第２の主壁部との間にあり、自然に解けることはない。この状態において、糸を釣り糸引き出し口からケースの外方に引くと、第１の突出部付近に位置する糸の部分が第１の片状部の先端部を撓ませて、第１の片状部の表面側に出る。この状態で更に糸を引くと、糸は結合体付近にある部分及び結合体から第２の突出部付近にあるものが解ける。更に、糸を引くと、第２の突出部の湾曲部分から第２の片状部の表面側に出て、外方に引き出される。以下、同様にして、順に糸が引き出される。
【００１１】
この糸巻きでは、糸は折り畳んだ８の字状に巻かれているので、解いたときに巻き癖はついてない。しかも、糸を解くときは、単に糸の先端を直線的に引っ張るだけでよいので、引き出し作業が容易になる。
【００１２】
第１及び第２の片状部を、前記中途からそれぞれ前記結合体側に向かうに従って幅が狭く形成することができる。このように構成すると、折り曲げられた８の字状の糸の結合体付近の部分が解かれたとき、第１及び第２の片状部が、糸の移動を阻害することがなく、速やかに糸を引き出すことができる。
【００１３】
ケースは、帯状体に着脱自在に取り付けることが望ましい。このように構成すると、糸巻きに巻かれていた釣り糸が無くなったときの補充が容易に行える。
【発明の効果】
【００１４】
以上のように、本発明による釣り糸携帯具では、嵩張らないで複数の糸を携行することができる。
【発明を実施するための最良の形態】
【００１５】
本発明の第１実施形態の釣り糸携帯具は、図１に示すように、帯状体１００を有している。この帯状体１００は、糸巻き取付部１０２と、２つのベルト部１０４、１０６とからなる。糸巻き取付部１０２は、例えば小判型の板状体であり、折り曲げ可能な材料によって構成されている。この糸巻き取付部の外面側に複数、例えば４つの糸巻き２が取り付けられている。この糸巻き取付部１０２の一方の端にベルト部１０４の一端が結合され、糸巻き取付部１０２の他方の端にベルト部１０６の一端が結合されている。
【００１６】
これらベルト部１０４、１０６も折り曲げ可能に構成され、これらベルト部１０４、１０６は、図２（ａ）に示すように、人体の腰の回りに糸巻き取付部１０２及びベルト部１０４、１０６を巻き付けたとき、ベルト部１０４、１０６の他端部同士が互いに重なり合うように、ベルト部１０４、１０６の長さが選択されている。或いは同図（ｂ）に示すように、人体の一方の側の肩から他方の側の腰を通って再び一方の側の肩まで糸巻き取付部１０２及びベルト部１０４、１０６を巻き付けたとき、ベルト部１０４、１０６の他端部同士が互いに重なり合うように、ベルト部１０４、１０６の長さが選択されている。これらベルト部１０４、１０６の他端部には結合手段、例えばベルト部１０４の他端部の外面側に一方の面ファスナー１０８が取り付けられ、ベルト部１０６の他端部の内面側に他方の面ファスナー１１０が取り付けられている。これら面ファスナー１０８、１１０は、互いに係合するものである。
【００１７】
糸巻き２は、図３に示すようにケース４に収容されている。ケース４は、中箱６と外箱８とからなる。中箱６は、長方形状の底壁６ａと、それの両長手縁に一体に形成された側壁６ｂ、６ｃと、底壁６ａの両短縁に一体に形成された端壁６ｄ、６ｅと、端壁６ｄ、６ｅの上縁に一体に形成された係止片６ｆ、６ｇとからなる。端壁６ｄには、後述する糸を引き出すための貫通孔１０が形成されている。外箱８は、中空で扁平な直方体の一方の端壁を欠如させた構造である。この外箱８の対向している２つの外面８ａ、８ｂの一方である外面８ａに図４に示すように一方の面ファスナー１１２が取り付けられ、糸巻き取付部１００の外面に他方の面ファスナー１１４が取り付けられ、糸巻き２は、糸巻き取付部１００に対して着脱自在である。なお、この釣り糸携帯具を人体に取り付けた際、貫通孔１０が、人体の上部側に位置するように、外箱８は、糸巻き取付部１００に取り付けられている。
【００１８】
糸巻き２は、図５（ａ）に示すように、第１及び第２の主壁、例えば上壁１２と下壁１４とを有している。上壁１２及び下壁１４は、共に同じ大きさの長方形状に形成され、両者が互いに重なり合うように平行に、所定の間隔を隔てて配置されている。これら上壁１２と下壁１４との一方の端部、例えば一方の短縁間が、結合体、例えば端壁１６によって結合されている。端壁１６は、上壁１２及び下壁１４の両短縁全域に結合され、両者に対してほぼ垂直である。このように本体２は、端壁１６とは反対側が開放された下方端部とされた概略コ字状の側面形状をなしている。これら上壁１２、下壁１４及び端壁１６によって本体部が形成されている。但し、下壁１４の端壁１６とは反対側、即ち開放端部側には、開放端部とほぼ同一形状である直方形状の閉鎖壁１８が一体に形成されている。この閉鎖壁１８が開放端部を閉塞している。
【００１９】
上壁１２の裏面、即ち下壁１４側にある面の開放端部側によった位置に第１の突出部、例えば短円筒状部２０が形成されている。この短円筒状部２０は、上壁１２の長手縁を繋ぐ方向、即ち幅方向のほぼ中央に位置している。下壁１４の裏面、即ち上壁１２側にある面における短円筒状部２０と対応する位置に、短円筒状部２２が形成されている。これら短円筒状部２０、２２は同じ大きさである。短円筒状部２０、２２は、その平面形状が円形であるので、開放端部側に向かって凸の湾曲部を有している。
【００２０】
上壁１２の裏面に第１の片状部、例えば舌片部２４が形成されている。舌片部２４は、その基端部が端壁１６の近傍にあり、開放端部側に向かうに従って徐々に幅寸法（上壁１２の長手縁間の方向の寸法）が拡大する拡大部２４ａと、拡大部２４に続いて幅寸法が一定である中間部２４ｂと、この中間部２４ｂに続く先端部２４ｃとを有している。この舌片部２４は、その中心軸線が、短円筒状部２０の中心と一致している。中間部２４ｂの幅寸法は、上壁１２の幅寸法よりもわずかに小さい。この昼間部２４ｂにおける上壁１２と面している面に短円筒状部２０の突出端部が固定されている。先端部２４ｃは、開放端部側に向かって凸の円弧状に形成されている。
【００２１】
下壁１４の裏面にも第２の片状部、例えば舌片部２６が形成されている。この舌片部２６も、舌片部２４と同様に形成されている。即ち、拡大部２６ａ、中間部２６ｂ、先端部２６ｃを有し、これらは拡大部２４ａ、中間部２４ｂ、先端部２４ｃと同様に形成されている。また、舌片部２６の中心軸線は、短円筒状部２２の中心と一致している。
【００２２】
この糸巻き２は、図６（ａ）に示すように、例えば長方形状の厚紙を一点鎖線で示す位置で折り曲げることによって閉塞部材１８付きの本体部を形成することができる。短円筒状部２０、２２、舌片部２４、２６も厚紙製として、適切な接着剤で接着されている。従って、舌片部２４、２６の先端部２４ｃ、２６ｃは、撓むことができる。なお、紙以外に合成樹脂等によって形成することもできる。
【００２３】
この糸巻き２は、例えば次のようにして釣り糸２８が巻回される。下壁１４の一方の長手縁を１４ａ、他方の長手縁を１４ｂ、上壁１２における上記長手縁１４ａと同じ側の長手縁を長手縁１２ａと、長手縁１４ｂと同じ側の長手縁を長手縁１２ｂ、拡大部２４ａ、２６ａの縁のうち長手縁１２ａ、１４ａ側にある縁を２４ａ−ａ、２６ａ−ａ、拡大部２４ａ、２６ａの縁のうち長手縁１２ｂ、１４ｂ側にある縁を２４ａ−ｂ、２６ａ−ｂとする。釣り糸２８の基端部は、下壁１４または舌片部２６の拡大部２６ａの長手縁１４ａ側に固定されている。釣り糸２８は、基端部から舌片部２６と下壁１４との間を円筒状部２２まで伸ばされて、円筒状部２２で長手縁１４ｂ側に折り返えされ、舌片部２６の拡大部２６ａの縁２６ａ−ｂの一部と交差して、端壁１６の中央付近まで伸ばされる。ここまでの部分で概略楕円型の輪がほぼ形成されている。釣り糸２８は、さらに、上壁１２の長手縁１２ａ側に伸ばされ、舌片部２４の拡大部２４ａの縁２４ａ−ａと交差して、舌片部２４と上壁１２との間に入り、短円筒状部２０で長手縁１２ｂ側に折り返され、拡大部２４ａの縁２４ａ−ｂに交差して端壁１６側に伸ばされる。釣り糸２８は、さらに下壁１４の長手縁１４ａ側に伸ばされ、拡大部２６ａの縁２６ａ−ａに交差して舌片部２６と下壁１４との間に入る。このようにして、釣り糸２８が一巻きされ、各輪が楕円状の８の字状にされる。以下、同様にして短円筒状部２０、２２間に釣り糸２８が複数回にわたって巻き付けられる。なお、図６（ａ）、（ｂ）では、図が複雑になるので、一巻きした状態だけを示している。
【００２４】
このようにして巻き付けられた釣り糸２８の先端は、例えば図５（ａ）に示すように舌片部２４の先端部２４ｃの中途から、閉塞壁１８の中央に形成した貫通孔３０を通って外部に引き出される。場合によっては、舌片部２４の先端部２４ｃの中途から釣り糸２８の先端部が引き出されることもある。その後、図６（ａ）の一点鎖線で示す位置で厚紙が折り曲げられ、図５（ａ）に示す状態とされる。この状態では、釣り糸２８は、８の字がその中心で折り畳まれた状態になっている。次に、図３に示す中箱６に、糸巻き２の閉塞壁１８が中箱６の端壁６ｄ側に位置するように収容し、閉塞壁１８から引き出した釣り糸２８を中箱６の端壁６ｄの貫通孔１０から外部に引き出し、係止片６ｆ、６ｇを底壁６ａと平行になるように折り曲げ、外箱４に収容する。この外箱４が、糸巻き取付部１０２に上述したように取り付けられ、図２（ａ）または（ｂ）に示すように人体に取り付けられる。なお、引き出された糸の先端は、図１、図４に示すように外箱８の外面８ｂに設けた係止片１１６に係止される。
【００２５】
釣り糸２８が一巻きされ、例えば図５（ａ）に示すように釣り糸２８の先端部が舌片部２６の中途に交差して舌片部２４、２６の間から貫通孔３０を通過している場合、同図（ａ）に誇張して描くように釣り糸２８の先端を上方に引くと、舌片部２６の先端部２６ｃが釣り糸２８によって上壁１２側に撓み、図５（ａ）において釣り糸２８のうち舌片部２６と下壁１４との間にあった部分が図５（ｂ）に示すように舌片部２４、２６間に移動する。この状態において更に釣り糸２８を引き出すと、図５（ｂ）において端壁１６付近にあった部分が、図５（ｃ）に示すように、釣り糸２８の舌片部２４ａの縁２４ａ−ａを通過して短円筒部２４の閉塞壁１８付近まで移動する。この状態で釣り糸２８を引くと、舌片部２４が舌片部２６側に撓み、図５（ｃ）において端壁１６付近から短円筒状部２０付近に合った部分が、図５（ｄ）に示すように舌片部２４、２６間に移動する。図５（ｄ）の状態において更に釣り糸２８を引き出すと、図５（ｄ）において端壁１６付近に位置する折り返された部分が引き出され、図５（ｅ）に示すように引き出し終了状態となる。釣り糸２８が複数巻きされている場合には、図５（ａ）乃至（ｄ）に示す状態が複数回にわたって繰り返されて、糸が引き出され、最終的に図５（ｅ）に示す状態となる。
【００２６】
このように釣り糸２８は、８の字状に巻かれているので、解いても釣り糸２８には巻き癖がついていない。また、解くときも、単に人体の頭部側に直線的に釣り糸を引き出せばよいので、引き出し作業が容易である。
【００２７】
第２の実施形態の釣り糸携帯具は、人体の腕に取り付け可能なもので、図７に示すように、第１の実施形態よりも少数、例えば１つの糸巻き２が着脱自在に外面に取り付けられた糸巻き取付部１０２ａを有している。この糸巻き取付部１０２ａの両端にそれぞれベルト部１０４ａ、１０６ａの一端が結合されている。人体の腕に糸巻き取付部１０２ａ、ベルト部１０４ａ、１０６ａを取り付けた際に、ベルト部１０４ａ、１０６ａの他端同士が重なり合うようにベルト部１０４ａ、１０６ａの長さが選択され、ベルト部１０４ａ、１０６ａの他端には布ファスナー１０８ａ、１１０ａが設けられ、これらが係合している。他の構成は、第１の実施形態の釣り糸携帯具と同様である。
【００２８】
上記の２つの実施形態では、ベルト部１０４、１０４ａ、１０６、１０６ａを面ファスナー１０８、１０８ａ、１１０、１１０ａによって結合したが、これに限ったものではなく、例えばベルト部１０４、１０４ａの他端部に係合具を設け、ベルト部１０６、１０６ａの他端部に、上記の係合具と係合する係止具を設けることもできる。また、帯状体１００は、糸巻き取付部１０２、１０２ａとベルト部１０４、１０４ａ、１０６、１０６ａによって構成したが、これに限ったものではなく、一部を糸巻き２を取り付け可能とした一体の帯状部を使用することもできる。
【００２９】
上記の２つの実施形態では、糸巻き２を厚紙で構成したが、これに限ったものではなく、金属、ゴム、合成樹脂等種々の材料によって構成することができる。また、上記の２つの実施形態では、ケースとして中箱６と外箱８とを使用したが、外箱８だけとすることもできる。また、中箱６や外箱８を透明材料によって構成し、本体部２が外部から見えるように構成することもできるし、中箱６や外箱８を防水構造とすることもできる。
【図面の簡単な説明】
【００３０】
【図１】本発明の第１の実施形態の釣り糸携帯具の斜視図である。
【図２】図１の釣り糸携帯具の使用状態を示す図である。
【図３】図１の釣り具携帯具の糸巻きの組み立て図である。
【図４】図１の釣り糸携帯具の部分省略側面図である。
【図５】図１の釣り糸携帯具の糸巻きから釣り糸を解く状態の説明図である。
【図６】図１の釣り糸携帯具の糸巻きの本体部を展開した状態の平面図と側面図である。
【図７】本発明の第１の実施形態の釣り糸携帯具の平面図である
【符号の説明】
【００３１】
２  糸巻き
１２  上壁（第１の主壁）
１４  下壁（第２の主壁）
１６  端壁（結合体）
２０  短円筒状部（第１の突出部）
２２  短円筒状部（第２の突出部）
２４  舌片部（第１の片状部）
２６  舌片部（第２の片状部）
１００  糸巻き取付部（帯状体）
１０２  １０４  ベルト部（帯状体）
【図１】
2008099626.tif 000003
【図２】
2008099626.tif 000004
【図３】
2008099626.tif 000005
【図４】
2008099626.tif 000006
【図５】
2008099626.tif 000007
【図６】
2008099626.tif 000008
【図７】
2008099626.tif 000009